(57)【要約】【課題】  画像による情報の出所に基づいて、情報の漏洩を抑止する。【解決手段】  二次元コード画像データ４３０ｂは、ＦＡＸ番号画像４２０ａをコード化及び暗号化した二次元コード画像４３０ａに対応する画像データである。受信画像形成部２１２は、通信装置１０８から送信画像データ４０ｂ及び送信元番号通知信号を取得して、送信画像４０ａを受信画像として形成する。抽出部２１４は、ＦＡＸ番号画像４２０ａ及び二次元コード画像４３０ａを抽出する。照合部２１６は、ＦＡＸ番号と二次元コードとを照合する。消去部２１７は、照合部２１６の照合結果に応じて送信画像データ４０ｂを消去する。出力画像形成部２１８は、照合部２１６の照合結果に応じて送信画像４０ａ又はその他の画像を出力画像として形成し、印刷装置１０６などに対して出力する。【選択図】          図６
2006261753.tif 000002
【特許請求の範囲】
【請求項１】
第１の画像に対応する第１のデータと、この第１のデータの出所に関連する第２の画像に対応する第２のデータと、前記第１のデータの出所に関連する第２の画像をコード化した第３の画像に対応する第３のデータとを有することを特徴とする画像データ構造。
【請求項２】
第１の画像に対応する第１のデータ、第１の画像の出所に関連する第２の画像に対応する第２のデータ及び第２の画像をコード化した第３の画像に対応する第３のデータを有する画像データを生成し、生成した画像データを出力することを特徴とする画像処理方法。
【請求項３】
第１の画像に対応する第１のデータ、第１の画像の出所に関連する第２の画像に対応する第２のデータ及び第２の画像をコード化した第３の画像に対応する第３のデータを有する画像データを取得し、取得した画像データから第２のデータと第３のデータとを抽出し、抽出した第２のデータと第３のデータとを照合し、照合した結果に応じて画像データから少なくとも第１の画像を形成することを特徴とする画像処理方法。
【請求項４】
第１の画像に対応する第１のデータ、第１の画像の出所に関連する第２の画像に対応する第２のデータ及び第２の画像をコード化した第３の画像に対応する第３のデータを有する画像データを生成するステップと、生成した画像データを出力するステップとをコンピュータに実行させる画像処理プログラム。
【請求項５】
第１の画像に対応する第１のデータ、第１の画像の出所に関連する第２の画像に対応する第２のデータ及び第２の画像をコード化した第３の画像に対応する第３のデータを有する画像データを取得するステップと、取得した画像データから第２のデータと第３のデータとを抽出するステップと、抽出した第２のデータと第３のデータとを照合するステップと、照合した結果に応じて画像データから少なくとも第１の画像を形成するステップとをコンピュータに実行させる画像処理プログラム。
【請求項６】
第１の画像に対応する第１のデータ、第１の画像の出所に関連する第２の画像に対応する第２のデータ及び第２の画像をコード化した第３の画像に対応する第３のデータを有する画像データを生成する画像データ生成手段と、この画像データ生成手段が生成した画像データを出力するデータ出力手段とを有することを特徴とする画像処理装置。
【請求項７】
前記データ出力手段は、該データ出力手段に固有の識別データをさらに出力することを特徴とする請求項６記載の画像処理装置。
【請求項８】
前記画像データ生成手段が生成する画像データの第２のデータに対応する第２の画像は、前記データ出力手段が画像データを出力する時刻と略同じ時刻を示す画像であることを特徴とする請求項６又は７記載の画像処理装置。
【請求項９】
第１の画像に対応する第１のデータ、第１の画像の出所に関連する第２の画像に対応する第２のデータ及び第２の画像をコード化した第３の画像に対応する第３のデータを有する画像データを取得するデータ取得手段と、このデータ取得手段が取得した画像データから第２のデータと第３のデータとを抽出する抽出手段と、この抽出手段が抽出した第２のデータと第３のデータとを照合する照合手段と、この照合手段が照合した結果に応じて画像データから少なくとも第１の画像を形成する画像形成手段とを有することを特徴とする画像処理装置。
【請求項１０】
前記データ取得手段が取得する画像データの第２のデータに対応する第２の画像は、画像データが出力された時刻と略同じ時刻を示す画像であることを特徴とする請求項９記載の画像処理装置。
【請求項１１】
画像データと該画像データの出所に関連するデータとを取得可能なデータ取得手段と、このデータ取得手段が画像データと共に画像データの出所に関連するデータを取得したか否かを判定する判定手段と、画像データに応じて画像を出力する画像出力手段と、前記判定手段の判定結果に応じて前記画像出力手段による画像の出力を制御する出力制御手段とを有することを特徴とする画像処理装置。
【請求項１２】
前記データ取得手段が画像データの出所に関連するデータを取得することなく画像データを取得したと前記判定手段が判定した場合、前記出力制御手段は、その旨を示す画像を前記画像出力手段が出力するよう制御することを特徴とする請求項１１記載の画像処理装置。
【請求項１３】
第１の画像に対応する第１のデータ、第１の画像の出所に関連する第２の画像に対応する第２のデータ及び第２の画像をコード化した第３の画像に対応する第３のデータを有する画像データを生成する画像データ生成手段と、この画像データ生成手段が生成した画像データを送信するデータ送信手段と、このデータ送信手段が送信した画像データを受信するデータ受信手段と、このデータ受信手段が受信した画像データから第２のデータと第３のデータとを抽出する抽出手段と、この抽出手段が抽出した第２のデータと第３のデータとを照合する照合手段と、この照合手段が照合した結果に応じて画像データから少なくとも第１の画像を形成する画像形成手段とを有することを特徴とする画像処理システム。
【請求項１４】
第１の画像に対応する第１のデータ、第１の画像の特徴量に対応する第２のデータ及び第２のデータをコード化した第２の画像に対応する第３のデータを有するデータを生成するデータ生成手段と、このデータ生成手段が生成したデータを送信するデータ送信手段と、このデータ送信手段が送信したデータを受信するデータ受信手段と、このデータ受信手段が受信したデータから第２のデータと第３のデータとを抽出する抽出手段と、この抽出手段が抽出した第２のデータと第３のデータとを照合する照合手段と、この照合手段が照合した結果に応じてデータから少なくとも第１の画像を形成する画像形成手段とを有することを特徴とする画像処理システム。
【発明の詳細な説明】
【技術分野】
【０００１】
本発明は、画像データ構造、画像処理方法、画像処理プログラム、画像処理装置及び画像処理システムに関するものである。
【背景技術】
【０００２】
機密情報を出力する場合に、機密を守るべき範囲外に機密情報が漏洩することを抑止する画像処理システムが知られている。この種の画像処理システムにおいて、ユーザの認証情報と暗号化された画像データとを転送し、転送されたユーザの認証情報を照合した結果に応じて暗号化された画像データを復号化することにより、機密保持が必要なデータが漏洩する危険性を低減することは公知である（特許文献１参照）。
【０００３】
【特許文献１】特開２００３−５９３９号公報
【発明の開示】
【発明が解決しようとする課題】
【０００４】
しかしながら、上記従来例においては、画像データを送信するユーザが認証されると、送信元である装置又は場所などにより特定される画像データの出所にかかわらず情報が転送されてしまうという問題があった。
【０００５】
そこで、本発明は、画像による情報の出所に基づいて、情報の漏洩を抑止することができる画像データ構造、画像処理方法、画像処理プログラム、画像処理装置及び画像処理システムを提供することを目的とする。
【課題を解決するための手段】
【０００６】
上記目的を達成するため、本発明の第１の特徴とするところは、第１の画像に対応する第１のデータと、この第１のデータの出所に関連する第２の画像に対応する第２のデータと、前記第１のデータの出所に関連する第２の画像をコード化した第３の画像に対応する第３のデータとを有する画像データ構造にある。即ち、この画像データ構造は、第２の画像に対応する第２のデータと第３の画像に対応する第３のデータとを照合されることが可能であると共に、第１の画像に対応する第１のデータの出所に関連する情報を含んでいるので、画像による情報の出所に基づいて、情報の漏洩を抑止することができる。
【０００７】
また、本発明の第２の特徴とするところは、第１の画像に対応する第１のデータ、第１の画像の出所に関連する第２の画像に対応する第２のデータ及び第２の画像をコード化した第３の画像に対応する第３のデータを有する画像データを生成し、生成した画像データを出力する画像処理方法にある。即ち、画像データが第２の画像に対応する第２のデータと第３の画像に対応する第３のデータとを照合されることが可能であると共に、第１の画像に対応する第１のデータの出所に関連する情報を含むので、画像による情報の出所に基づいて、情報の漏洩を抑止することができる。
【０００８】
また、本発明の第３の特徴とするところは、第１の画像に対応する第１のデータ、第１の画像の出所に関連する第２の画像に対応する第２のデータ及び第２の画像をコード化した第３の画像に対応する第３のデータを有する画像データを取得し、取得した画像データから第２のデータと第３のデータとを抽出し、抽出した第２のデータと第３のデータとを照合し、照合した結果に応じて画像データから少なくとも第１の画像を形成する画像処理方法にある。即ち、第２のデータと第３のデータとを照合した結果に応じて少なくとも第１の画像を形成するので、第１の画像の出所に関連する第２の画像に対応する第２のデータの照合が取れない場合には、第１の画像が形成されないようにすることができる。
【０００９】
また、本発明の第４の特徴とするところは、第１の画像に対応する第１のデータ、第１の画像の出所に関連する第２の画像に対応する第２のデータ及び第２の画像をコード化した第３の画像に対応する第３のデータを有する画像データを生成するステップと、生成した画像データを出力するステップとをコンピュータに実行させる画像処理プログラムにある。
【００１０】
また、本発明の第５の特徴とするところは、第１の画像に対応する第１のデータ、第１の画像の出所に関連する第２の画像に対応する第２のデータ及び第２の画像をコード化した第３の画像に対応する第３のデータを有する画像データを取得するステップと、取得した画像データから第２のデータと第３のデータとを抽出するステップと、抽出した第２のデータと第３のデータとを照合するステップと、照合した結果に応じて画像データから少なくとも第１の画像を形成するステップとをコンピュータに実行させる画像処理プログラムにある。
【００１１】
また、本発明の第６の特徴とするところは、第１の画像に対応する第１のデータ、第１の画像の出所に関連する第２の画像に対応する第２のデータ及び第２の画像をコード化した第３の画像に対応する第３のデータを有する画像データを生成する画像データ生成手段と、この画像データ生成手段が生成した画像データを出力するデータ出力手段とを有する画像処理装置にある。
【００１２】
好適には、前記データ出力手段は、該データ出力手段に固有の識別データをさらに出力する。したがって、画像による情報の出所を示すデータとして、データ出力手段に固有の識別データを用いることを可能にするので、情報の漏洩を抑止することができる。
【００１３】
また、好適には、前記画像データ生成手段が生成する画像データの第２のデータに対応する第２の画像は、前記データ出力手段が画像データを出力する時刻と略同じ時刻を示す画像である。即ち、画像データが出力される時刻と略同じ時刻を示す画像に対応する画像データを含む画像データが出力されるので、転送などによる情報の漏洩を抑止することができる。
【００１４】
また、本発明の第７の特徴とするところは、第１の画像に対応する第１のデータ、第１の画像の出所に関連する第２の画像に対応する第２のデータ及び第２の画像をコード化した第３の画像に対応する第３のデータを有する画像データを取得するデータ取得手段と、このデータ取得手段が取得した画像データから第２のデータと第３のデータとを抽出する抽出手段と、この抽出手段が抽出した第２のデータと第３のデータとを照合する照合手段と、この照合手段が照合した結果に応じて画像データから少なくとも第１の画像を形成する画像形成手段とを有する画像処理装置にある。即ち、第２の画像に対応する第２のデータと第３の画像に対応する第３のデータとを照合することができ、照合手段が照合した結果に応じて画像データから少なくとも第１の画像を形成することができるので、画像による情報の出所に基づいて、情報の漏洩を抑止することができる。
【００１５】
好適には、前記データ取得手段が取得する画像データの第２のデータに対応する第２の画像は、画像データが出力された時刻と略同じ時刻を示す画像である。
【００１６】
また、本発明の第８の特徴とするところは、画像データと該画像データの出所に関連するデータとを取得可能なデータ取得手段と、このデータ取得手段が画像データと共に画像データの出所に関連するデータを取得したか否かを判定する判定手段と、画像データに応じて画像を出力する画像出力手段と、前記判定手段の判定結果に応じて前記画像出力手段による画像の出力を制御する出力制御手段とを有する画像処理装置にある。
【００１７】
好適には、前記データ取得手段が画像データの出所に関連するデータを取得することなく画像データを取得したと前記判定手段が判定した場合、前記出力制御手段は、その旨を示す画像を前記画像出力手段が出力するよう制御する。即ち、データ取得手段が画像データの出所に関連するデータを取得することなく画像データを取得した場合、その旨を示す画像が出力されるので、その旨を示す画像により、ユーザは、画像データの出所に関連するデータを取得することなく画像データを取得したことを把握することができる。
【００１８】
また、本発明の第９の特徴とするところは、第１の画像に対応する第１のデータ、第１の画像の出所に関連する第２の画像に対応する第２のデータ及び第２の画像をコード化した第３の画像に対応する第３のデータを有する画像データを生成する画像データ生成手段と、この画像データ生成手段が生成した画像データを送信するデータ送信手段と、このデータ送信手段が送信した画像データを受信するデータ受信手段と、このデータ受信手段が受信した画像データから第２のデータと第３のデータとを抽出する抽出手段と、この抽出手段が抽出した第２のデータと第３のデータとを照合する照合手段と、この照合手段が照合した結果に応じて画像データから少なくとも第１の画像を形成する画像形成手段とを有する画像処理システムにある。
【００１９】
また、本発明の第１０の特徴とするところは、第１の画像に対応する第１のデータ、第１の画像の特徴量に対応する第２のデータ及び第２のデータをコード化した第２の画像に対応する第３のデータを有するデータを生成するデータ生成手段と、このデータ生成手段が生成したデータを送信するデータ送信手段と、このデータ送信手段が送信したデータを受信するデータ受信手段と、このデータ受信手段が受信したデータから第２のデータと第３のデータとを抽出する抽出手段と、この抽出手段が抽出した第２のデータと第３のデータとを照合する照合手段と、この照合手段が照合した結果に応じてデータから少なくとも第１の画像を形成する画像形成手段とを有する画像処理システムにある。
【発明の効果】
【００２０】
本発明によれば、画像による情報の出所に基づいて、情報の漏洩を抑止することができる。
【発明を実施するための最良の形態】
【００２１】
次に本発明の実施形態を図面に基づいて説明する。
図１において、本発明の実施形態に係る画像処理システム１の概要が示されている。画像処理システム１は、例えば隔離された空間である事業所５内に配置された画像処理装置１０、サーバ１２、ＰＣ（パーソナルコンピュータ）１４及び電子錠１６と、事業所５外に配置され、通信回線網（ネットワーク）６を介して画像処理装置１０に接続される画像処理装置１８とを有する。
【００２２】
画像処理装置１０は、例えばファクシミリ（ＦＡＸ）、プリンタ及び複写機等の機能を有する複合機（ＭＦＰ）である。画像処理装置１０は、ＰＣ１４などからの印刷指示に応じて用紙などの記録媒体３に画像を印刷すると共に、例えばＰＣ１４などから入力された画像（画像データ）、及び送信元番号（送信元ＦＡＸ番号）通知信号をＦＡＸ機能により通信回線網６を介して画像処理装置１８に対し送信する。
【００２３】
サーバ１２は、図示しないＣＰＵ及びメモリなどを有し、画像処理装置１０及び電子錠１６に対する処理を行う。電子錠１６は、事業所５の出入り口５０に設けられた扉５００に対して、サーバ１２の処理に応じて施錠及び開錠を行うようにされている。電子錠１６は、ユーザが事業所５に対して入退室しようとする場合、例えば図示しない無線のＩＤカード読取り装置を用いたユーザの認証が成功することにより開錠するようにされている。また、電子錠１６は、ユーザが事業所５に対して入退室した後には施錠するようにされている。
【００２４】
画像処理装置１８は、例えば画像処理装置１０と同様にファクシミリ（ＦＡＸ）、プリンタ及び複写機等の機能を有する複合機（ＭＦＰ）であり、画像処理装置１０から送信された画像などを通信回線網６を介して受信する。
通信回線網６は、例えばＦＡＸ信号を伝送するネットワークであり、ＦＡＸ信号として画像データと共に送信元番号通知信号（データ）を伝送することができるようにされている。ただし、通信回線網６は、ＦＡＸ信号として画像データを送信する場合、送信元番号通知信号を送信元から送信先に伝送しないようにすることもできるようにされている。なお、ＦＡＸ信号として画像データと共に伝送される送信元番号通知信号は、送信元に固有の信号であり、例えば画像処理装置１０は、画像処理装置１０に固有の送信元番号通知信号を画像データと共に画像処理装置１８に対して送信する。
【００２５】
次に、画像処理装置１０の詳細について説明する。
図２は、画像処理装置１０の構成を示す構成図である。画像処理装置１０は、表示装置及びキーボードなどを含むユーザインタフェース装置（ＵＩ装置）１００、スキャナなどの画像読取り装置１０２、ＨＤＤ・ＣＤ装置などの記憶装置１０４、印刷装置１０６、ＦＡＸモデム及びＬＡＮポートなど複数のネットワークインターフェイスを具備する通信装置１０８並びに制御装置２などから構成される。制御装置２は、ＣＰＵ２０及びメモリ２２などを含み、画像処理装置１０を構成する各部を制御する。記憶装置１０４には、画像処理装置１０がＦＡＸとして動作する場合のＦＡＸ番号（送信元）データが記憶されている。このように、画像処理装置１０は、コンピュータとしての機能を有し、記憶媒体１１０又は通信装置１０８を介して供給されるソフトウェアに応じて動作し、例えばＦＡＸとしてユーザに使用される。
【００２６】
図３は、画像処理装置１０がＦＡＸとして動作する場合に、制御装置２により実行される画像データ生成ソフトウェア２００の動作の概略を示すブロック図である。
図４は、画像データ生成ソフトウェア２００に対して入力される送信内容画像データ４ｂの元となる画像４ａの画像例である。
図５は、画像データ生成ソフトウェア２００が出力する送信画像データ４０ｂに対応し、記録媒体３に形成される送信画像４０ａの画像例である。
図３に示すように、画像データ生成ソフトウェア２００は、例えばＱＲコードなどの二次元コードを生成する二次元コード生成部２０２を含み、ＵＩ装置１００、画像読取り装置１０２又は記憶装置１０４などから、画像を走査した画像データを送信内容画像データ４ｂとして受け入れて送信画像データ４０ｂを生成し、生成した送信画像データ４０ｂを通信装置１０８に対して出力する。
なお、画像データ生成ソフトウェア２００の二次元コード生成部２０２は、例えば機密のソフトウェアであり、事業所５内に配置された画像処理装置１０においてのみ実行されるものである。
【００２７】
送信内容画像データ４ｂは、例えば記録媒体３に形成された画像４ａ（図４）を画像読取り装置１０２が読取ることにより生成される。なお、画像４ａには、所定の個数連続する数字列からなる（ハイフン等のＦＡＸ番号を表すのに使用されうる記号を含むものであってもよい）ＦＡＸ番号画像（送信元）４２０ａが含まれ、送信内容画像データ４ｂには、ＦＡＸ番号画像４２０ａに対応するＦＡＸ番号画像（送信元）データ４２０ｂが含まれている。
【００２８】
画像データ生成ソフトウェア２００（図３）は、送信内容画像データ４ｂを受け入れて画像４ａを形成する。二次元コード生成部２０２は、画像４ａから所定の個数連続する数字列を認識することにより、ＦＡＸ番号画像４２０ａを二次元コード対象として抽出する。また、二次元コード生成部２０２は、ＦＡＸ番号画像４２０ａをコード化及び暗号化した例えばＱＲコードなどの二次元コード画像４３０ａを生成する。さらに、画像データ生成ソフトウェア２００は、画像４ａ及び二次元コード画像４３０ａを所定のレイアウトで合成し、二次元コード画像４３０ａに対応する二次元コード画像データ４３０ｂ、送信内容画像データ４ｂに含まれたＦＡＸ番号画像データ４２０ｂ、送信内容画像データ４ｂからＦＡＸ番号画像データ４２０ｂを除いた内容部画像データ４１０ｂ及びスタンプ画像データ４２２ｂを有する送信画像データ４０ｂを生成し、通信装置１０８に対して出力する。スタンプ画像データ４２２ｂは、通信装置１０８が画像データを送信する時刻と略同時刻、事業所５の略称及び画像のページ数などを示すスタンプ画像４２２ａ（図５）に対応する画像データである。
【００２９】
つまり、送信画像データ４０ｂは、画像処理装置１０が画像処理装置１８に対してＦＡＸ送信する送信画像４０ａを走査して生成した画像データに相当する。また、内容部画像データ４１０ｂ（図３）は画像４ａからＦＡＸ番号画像４２０ａを除いた内容部画像４１０ａ（図５）に対応し、ＦＡＸ番号画像データ４２０ｂはＦＡＸ番号画像４２０ａに対応し、スタンプ画像データ４２２ｂはスタンプ画像４２２ａに対応し、二次元コード画像データ４３０ｂは二次元コード画像４３０ａに対応している。
【００３０】
次に、画像処理装置１８の詳細について説明する。
画像処理装置１８は、例えば図２に示した画像処理装置１０と略同様のハードウェア構成（図２）にされている。つまり、画像処理装置１８は、コンピュータとしての機能を有し、記憶媒体１１０又は通信装置１０８を介して供給されるソフトウェアに応じて動作し、例えばＦＡＸとしてユーザに使用される。
【００３１】
図６は、画像処理装置１８がＦＡＸとして動作する場合に、制御装置２により実行される画像形成ソフトウェア２１０の概略を示すブロック図である。
図６に示すように、画像形成ソフトウェア２１０は、受信画像形成部２１２、抽出部２１４、照合部２１６、消去部２１７及び出力画像形成部２１８を有する。受信画像形成部２１２は、通信装置１０８から送信画像データ４０ｂ及び送信元番号通知信号を取得して、送信画像４０ａを受信画像として形成し、送信画像データ４０ｂと共に送信画像４０ａを抽出部２１４に対して出力する。抽出部２１４は、送信画像４０ａに含まれる所定の個数連続する数字列を認識することによりＦＡＸ番号画像４２０ａを抽出し、送信画像４０ａに含まれる二次元コード画像４３０ａを二次元コード画像４３０ａの特徴量に応じて抽出して、送信画像データ４０ｂと共にＦＡＸ番号画像４２０ａ及び二次元コード画像４３０ａを照合部２１６に対して出力する。
【００３２】
照合部２１６は、ＦＡＸ番号画像４２０ａからＦＡＸ番号を認識し、二次元コード画像４３０ａをデコード及び復号化して、ＦＡＸ番号と二次元コードとを照合し、ＦＡＸ番号と二次元コードとが一致しない場合には送信画像データ４０ｂを消去部２１７に対して出力し、ＦＡＸ番号と二次元コードとが一致する場合には送信画像データ４０ｂを出力画像形成部２１８に対して出力する。消去部２１７は、照合部２１６から入力された送信画像データ４０ｂを消去する。出力画像形成部２１８は、送信画像データ４０ｂを照合部２１６から受け入れ、ＣＰＵ２０の制御により、送信画像４０ａ又は後述するその他の画像を出力画像として形成し、ＵＩ装置１００の表示装置、記憶装置１０４又印刷装置１０６に対して出力する。
【００３３】
次に、画像処理装置１０がＦＡＸ機能により送信内容画像データ４ｂを送信する処理について説明する。
図７は、画像処理装置１０がＦＡＸ機能により送信内容画像データ４ｂを送信する処理（Ｓ１０）を示すフローチャートである。
図７に示すように、ステップ１００（Ｓ１００）において、画像処理装置１０の制御装置２は、画像読取り装置１０２などを介して受入れた送信内容画像データ４ｂから画像４ａを形成し、二次元コード生成部２０２によって所定の個数連続する数字列を認識することにより、ＦＡＸ番号画像４２０ａを二次元コード対象として抽出する。
【００３４】
ステップ１０２（Ｓ１０２）において、制御装置２は、二次元コード生成部２０２により、Ｓ１００の処理で抽出したＦＡＸ番号画像４２０ａから二次元コード画像４３０ａを生成する。
【００３５】
ステップ１０４（Ｓ１０４）において、画像データ生成ソフトウェア２００は、画像４ａ及び二次元コード画像４３０ａを所定のレイアウトで合成し、送信画像データ４０ｂを生成する。
【００３６】
ステップ１０６（Ｓ１０６）において、通信装置１０８は、Ｓ１０４の処理で生成された送信画像データ４０ｂ及び送信元番号通知信号を通信回線網６に対して出力する。
【００３７】
次に、画像処理装置１８がＦＡＸ機能により送信内容画像データ４ｂを受信して画像を形成する処理の第一例について説明する。
図８は、画像処理装置１８がＦＡＸ機能により送信内容画像データ４ｂを受信して画像を形成する処理の第一例（Ｓ２０）を示すフローチャートである。
図８に示すように、ステップ２００（Ｓ２００）において、画像処理装置１８の通信装置１０８が通信回線網６を介して送信画像データ４０ｂ及び送信元番号通知信号を受信し、制御装置２が送信画像データ４０ｂを取得する。
【００３８】
ステップ２０２（Ｓ２０２）において、受信画像形成部２１２は、送信画像データ４０ｂから送信画像４０ａを受信画像として形成し、送信画像データ４０ｂと共に送信画像４０ａを抽出部２１４に対して出力する。
【００３９】
ステップ２０４（Ｓ２０４）において、抽出部２１４は、ＦＡＸ番号画像４２０ａ及び二次元コード画像４３０ａを抽出し、送信画像データ４０ｂと共にＦＡＸ番号画像４２０ａ及び二次元コード画像４３０ａを照合部２１６に対して出力する。
【００４０】
ステップ２０６（Ｓ２０６）において、制御装置２は、ＦＡＸ番号と二次元コードとを照合して、ＦＡＸ番号と二次元コードとが一致するか否かを判定し、一致する場合にはＳ２０８の処理に進み、一致しない場合にはＳ２１０の処理に進む。
【００４１】
ステップ２０８（Ｓ２０８）において、出力画像形成部２１８は、送信画像データ４０ｂを照合部２１６から受け入れ、送信画像４０ａを出力画像として形成し、ＵＩ装置１００の表示装置、記憶装置１０４又印刷装置１０６に対して出力する。
【００４２】
ステップ２１０（Ｓ２１０）において、消去部２１７は、照合部２１６から入力された送信画像データ４０ｂを消去する。
【００４３】
図９において、画像処理装置１８がＦＡＸ機能により送信内容画像データ４ｂを受信して画像を形成する処理の第二例（Ｓ３０）が示されている。
図９に示すように、ステップ３００（Ｓ３００）において、画像処理装置１８は、通信回線網６を介して送信されたデータを通信装置１０８により受信する。
【００４４】
ステップ３０２（Ｓ３０２）において、制御装置２は、Ｓ３００の処理において受信したデータに送信画像データ４０ｂと送信元番号通知信号とが有るか否かを判断し、送信元番号通知信号が無い場合にはＳ３０４の処理に進み、送信元番号通知信号がある場合にはＳ３０６の処理に進む。
【００４５】
ステップ３０４（Ｓ３０４）において、制御装置２は、印刷装置１０６を介して送信元番号が不明である旨を記録媒体３に印刷する。
【００４６】
ステップ３０６（Ｓ３０６）において、制御装置２は、送信元番号通知信号と、ＦＡＸ番号画像４２０ａ又は二次元コード画像４３０ａとを照合し、照合結果が適正であるか否かを判断して、例えば送信元番号通知信号が示す送信元番号とＦＡＸ番号画像４２０ａ又は二次元コード画像４３０ａから認識されるＦＡＸ番号とが一致する場合のように、照合結果が適正である場合にはＳ３０８の処理に進み、照合結果が適正でない場合にはＳ３１０の処理に進む。
【００４７】
ステップ３０８（Ｓ３０８）において、制御装置２は、例えば印刷装置１０６を介して記録媒体３に送信画像４０ａを印刷する。
【００４８】
ステップ３１０（Ｓ３１０）において、制御装置２は、印刷装置１０６を介して照合結果が不適正である旨を記録媒体３に印刷する。
【００４９】
なお、上記実施形態においては、二次元コード生成部２０２がＦＡＸ番号画像４２０ａから二次元コード画像４３０ａを生成する例について説明したが、これに限定されることなく、例えば画像処理装置１０がハッシュ関数などを用いて画像４ａの所定の特徴量から二次元コードを生成し、二次元コードを画像４ａに合成して送信し、抽出部２１４が送信画像４０ａの所定の特徴量と二次元コードとを抽出し、照合部２１６が所定の特徴量と二次元コードとを照合するようにしてもよい。また、画像処理システム１は、ＦＡＸ番号画像４２０ａに代えて、スタンプ画像４２２ａ又は送信元番号通知信号などから二次元コードを生成し、スタンプ画像４２２ａの一部について照合するものであってもよい。
【図面の簡単な説明】
【００５０】
【図１】本発明の実施形態に係る画像処理システムの概要を示す構成図である。
【図２】画像処理装置の構成を示す構成図である。
【図３】画像処理装置がＦＡＸとして動作する場合に、制御装置により実行される画像データ生成ソフトウェアの動作の概略を示すブロック図である。
【図４】画像データ生成ソフトウェアに対して入力される送信内容画像データの元となる画像の画像例である。
【図５】画像データ生成ソフトウェアが出力する送信画像データに対応し、記録媒体に形成される送信画像の画像例である。
【図６】画像処理装置がＦＡＸとして動作する場合に、制御装置により実行される画像形成ソフトウェアの概略を示すブロック図である。
【図７】画像処理装置がＦＡＸ機能により送信内容画像データを送信する処理（Ｓ１０）を示すフローチャートである。
【図８】画像処理装置がＦＡＸ機能により送信内容画像データを受信して画像を形成する処理の第一例（Ｓ２０）を示すフローチャートである。
【図９】画像処理装置がＦＡＸ機能により送信内容画像データを受信して画像を形成する処理の第二例（Ｓ３０）を示すフローチャートである。
【符号の説明】
【００５１】
１・・・画像処理システム
１０，１８・・・画像処理装置
１００・・・ＵＩ装置
１０２・・・画像読取り装置
１０４・・・記憶装置
１０６・・・印刷装置
１０８・・・通信装置
２・・・制御装置
２００・・・画像データ生成ソフトウェア
２０２・・・二次元コード生成部
２１０・・・画像形成ソフトウェア
２１２・・・受信画像形成部
２１４・・・抽出部
２１６・・・照合部
２１７・・・消去部
２１８・・・出力画像形成部
３・・・記録媒体
４ａ・・・画像
４ｂ・・・送信内容画像データ
４０ａ・・・送信画像
４０ｂ・・・送信画像データ
４１０ａ・・・内容部画像
４１０ｂ・・・内容部画像データ
４２０ａ・・・ＦＡＸ番号画像
４２０ｂ・・・ＦＡＸ番号画像データ
４２２ａ・・・スタンプ画像
４２２ｂ・・・スタンプ画像データ
４３０ａ・・・二次元コード画像
４３０ｂ・・・二次元コード画像データ
５・・・事業所
６・・・通信回線網
【図１】
2006261753.tif 000003
【図２】
2006261753.tif 000004
【図３】
2006261753.tif 000005
【図４】
2006261753.tif 000006
【図５】
2006261753.tif 000007
【図６】
2006261753.tif 000008
【図７】
2006261753.tif 000009
【図８】
2006261753.tif 000010
【図９】
2006261753.tif 000011